(57)【要約】【課題】各人が楽しむことのできる接続デバイスおよび画像表示システムを提供する。【解決手段】接続デバイス１５０は、画像表示端末２００に接続して用いられ、異なるカメラＣＡで撮像された２つ以上の画像が表示される第１表示状態と、第１表示状態で表示された２つ以上の画像から選択された画像が表示される第２表示状態と、を取り得るように画像表示端末２００を制御するアプリケーション１５１を有している。また、接続デバイス１５０は、アプリケーション１５１を駆動するバッテリー１５４を有する。【選択図】図３
2018107729.tif 000002
【特許請求の範囲】
【請求項１】
画像表示端末に接続して用いられ、
異なるカメラで撮像された２つ以上の画像が表示される第１表示状態と、前記第１表示状態で表示された２つ以上の前記画像から選択された前記画像が表示される第２表示状態と、を取り得るように前記画像表示端末を制御するアプリケーションを有することを特徴とする接続デバイス。
【請求項２】
前記アプリケーションを駆動するバッテリーを有する請求項１に記載の接続デバイス。
【請求項３】
前記バッテリーから前記画像表示端末へ電力が供給可能である請求項２に記載の接続デバイス。
【請求項４】
他の接続デバイスと近距離無線通信を行う通信部を有している請求項１ないし３のいずれか１項に記載の接続デバイス。
【請求項５】
前記画像表示端末は、無線ＬＡＮ通信部を有し、
前記無線ＬＡＮ通信部での通信を規制する規制部を有している請求項４に記載の接続デバイス。
【請求項６】
前記無線ＬＡＮ通信部によって画像を受信し、
前記通信部によって前記画像を他の接続デバイスに送信する請求項５に記載の接続デバイス。
【請求項７】
前記画像表示端末の前記無線ＬＡＮ通信部での通信を規制し、
前記通信部によって他の接続デバイスから画像を受信する請求項５に記載に記載の接続デバイス。
【請求項８】
前記画像は、２つ以上の画像を含むマルチ画像である請求項６または７に記載の接続デバイス。
【請求項９】
前記アプリケーションは、受信した前記マルチ画像を各前記画像に分割し、分割した各前記画像を前記第１表示状態において表示する請求項８に記載の接続デバイス。
【請求項１０】
前記第１表示状態では、２つ以上の前記画像のうちの少なくとも１つの画像をメイン画像とすると共に、残りの前記画像をサブ画像とし、前記メイン画像を前記サブ画像よりも大きく表示する請求項９に記載の接続デバイス。
【請求項１１】
前記第１表示状態では、前記メイン画像と前記サブ画像とを切り替え可能である請求項１０に記載の接続デバイス。
【請求項１２】
前記第２表示状態で表示される前記画像は、前記第１表示状態で前記メイン画像として表示される画像である請求項１０または１１に記載の接続デバイス。
【請求項１３】
前記第２表示状態で表示される前記画像は、前記第１表示状態で表示される前記メイン画像よりも大きい請求項１２に記載の接続デバイス。
【請求項１４】
請求項１ないし１３のいずれか１項に記載の接続デバイスを用いて画像を提供することを特徴とする画像表示システム。
【発明の詳細な説明】
【技術分野】
【０００１】
本発明は、接続デバイスおよび画像表示システムに関するものである。
【背景技術】
【０００２】
近年、アーティストのライブコンサートの会場には、巨大なスクリーンが設置されており、このスクリーンにはアーティスト等が映し出されるようになっている。このスクリーンに映し出されている映像を観客に見せることで、肉眼では見えなかったり、物の影になって見えなかったりするアーティストの表情や演奏テクニック等を観客に堪能してもらうことができる。
【０００３】
しかしながら、スクリーンに映し出される映像が、その観客が見たい映像であるとは限らない。例えば、複数の人物（メンバー）で構成されるアイドルグループのライブであった場合、観客ごとにファンである人物が異なることから、仮に、スクリーンにある人物が単独で映し出されている場合には、その人物のファンである観客は楽しむことができるが、他の人物のファンである観客は楽しむことができない。
【０００４】
なお、例えば、特許文献１にライブコンサートを楽しむための望遠鏡一体型コンサートペンライトが開示されているが、このようなグッズによっても、上述のような問題を解消することができない。
【先行技術文献】
【特許文献】
【０００５】
【特許文献１】特開２０１６−１８７７６号公報
【発明の概要】
【発明が解決しようとする課題】
【０００６】
本発明の目的は、各人が楽しむことのできる接続デバイスおよび画像表示システムを提供することにある。
【課題を解決するための手段】
【０００７】
このような目的は、下記（１）〜（１４）の本発明により達成される。
【０００８】
（１）  画像表示端末に接続して用いられ、
異なるカメラで撮像された２つ以上の画像が表示される第１表示状態と、前記第１表示状態で表示された２つ以上の前記画像から選択された前記画像が表示される第２表示状態と、を取り得るように前記画像表示端末を制御するアプリケーションを有することを特徴とする接続デバイス。
【０００９】
（２）  前記アプリケーションを駆動するバッテリーを有する上記（１）に記載の接続デバイス。
【００１０】
（３）  前記バッテリーから前記画像表示端末へ電力が供給可能である上記（２）に記載の接続デバイス。
【００１１】
（４）  他の接続デバイスと近距離無線通信を行う通信部を有している上記（１）ないし（３）のいずれかに記載の接続デバイス。
【００１２】
（５）  前記画像表示端末は、無線ＬＡＮ通信部を有し、
前記無線ＬＡＮ通信部での通信を規制する規制部を有している上記（４）に記載の接続デバイス。
【００１３】
（６）  前記無線ＬＡＮ通信部によって画像を受信し、
前記通信部によって前記画像を他の接続デバイスに送信する上記（５）に記載の接続デバイス。
【００１４】
（７）  前記画像表示端末の前記無線ＬＡＮ通信部での通信を規制し、
前記通信部によって他の接続デバイスから画像を受信する上記（５）に記載に記載の接続デバイス。
【００１５】
（８）  前記画像は、２つ以上の画像を含むマルチ画像である上記（６）または（７）に記載の接続デバイス。
【００１６】
（９）  前記アプリケーションは、受信した前記マルチ画像を各前記画像に分割し、分割した各前記画像を前記第１表示状態において表示する上記（８）に記載の接続デバイス。
【００１７】
（１０）  前記第１表示状態では、２つ以上の前記画像のうちの少なくとも１つの画像をメイン画像とすると共に、残りの前記画像をサブ画像とし、前記メイン画像を前記サブ画像よりも大きく表示する上記（９）に記載の接続デバイス。
【００１８】
（１１）  前記第１表示状態では、前記メイン画像と前記サブ画像とを切り替え可能である上記（１０）に記載の接続デバイス。
【００１９】
（１２）  前記第２表示状態で表示される前記画像は、前記第１表示状態で前記メイン画像として表示される画像である上記（１０）または（１１）に記載の接続デバイス。
【００２０】
（１３）  前記第２表示状態で表示される前記画像は、前記第１表示状態で表示される前記メイン画像よりも大きい上記（１２）に記載の接続デバイス。
【００２１】
（１４）  上記（１）ないし（１３）のいずれかに記載の接続デバイスを用いて画像を提供することを特徴とする画像表示システム。
【発明の効果】
【００２２】
本発明によれば、画像表示端末を有する各人が、第１表示状態で映し出された複数の画像から自分の見たい画像を選択して映し出すことができるため、各人が楽しむことのできる接続デバイスおよび画像表示システムを提供することができる。
【図面の簡単な説明】
【００２３】
【図１】本発明の好適な実施形態に係る画像表示システムの構成図である。
【図２】図１に示す画像生成部で生成されるマルチ画像のイメージ図である。
【図３】画像表示端末およびそれに接続される接続デバイスを示す平面図である。
【図４】画像表示システムで用いる通信方法を示す図である。
【図５】画像表示システムで用いる通信方法を示す図である。
【図６】第１表示状態の画像表示端末を示す平面図である。
【図７】図２に示すマルチ画像を分割する方法を説明するための図である。
【図８】図２に示すマルチ画像を分割する方法を説明するための図である。
【図９】第１表示状態の画像表示端末を示す平面図である。
【図１０】第１表示状態の画像表示端末を示す平面図である。
【図１１】第１表示状態の画像表示端末を示す平面図である。
【図１２】第１表示状態から第２表示状態への切り替えを示す画像表示端末の平面図である。
【図１３】画像表示端末と接続デバイスとの間に接続される変換コネクタを示す平面図である。
【図１４】図１に示す画像表示システムの変形例を示す構成図である。
【図１５】集計部に記憶されるデータを示すイメージ図である。
【発明を実施するための形態】
【００２４】
以下、本発明の接続デバイスおよび画像表示システムを添付図面に示す好適な実施形態に基づいて詳細に説明する。
【００２５】
図１は、本発明の好適な実施形態に係る画像表示システムの構成図である。図２は、図１に示す画像生成部で生成されるマルチ画像のイメージ図である。図３は、画像表示端末およびそれに接続される接続デバイスを示す平面図である。図４および図５は、それぞれ、画像表示システムで用いる通信方法を示す図である。図６は、第１表示状態の画像表示端末を示す平面図である。図７および図８は、それぞれ、図２に示すマルチ画像を分割する方法を説明するための図である。図９ないし図１１は、それぞれ、第１表示状態の画像表示端末を示す平面図である。図１２は、第１表示状態から第２表示状態への切り替えを示す画像表示端末の平面図である。図１３は、画像表示端末と接続デバイスとの間に接続される変換コネクタを示す平面図である。図１４は、図１に示す画像表示システムの変形例を示す構成図である。図１５は、集計部に記憶されるデータを示すイメージ図である。
【００２６】
以下では、接続デバイスおよび画像表示システムについて、２人のメンバーＡ、ＢからなるアイドルグループＸ（アーティスト）のライブコンサートを例に挙げて説明する。ただし、本発明の接続デバイスおよび画像表示システムを用いる環境としては、ライブコンサート、クラシックコンサート、フィルムコンサート等の各種コンサートに限定されず、例えば、オペラ、ミュージカル、歌舞伎等の演劇、サーカス、野球、サッカー、ラグビー、競馬、陸上、ゴルフ、バスケットボール、マラソン、相撲、柔道、体操、フィギュアスケート、モータースポーツ、ボクシング等の格闘技等の各種スポーツ（屋内、屋外を問わない。）の試合、モーターショー、ゲームショー、医療機器、産業機器等の展示会等の各種イベント等であってもよい。
【００２７】
まず、コンサートホールの設備について簡単に説明すると、コンサートホールにはアイドルグループＸが登るステージと、アイドルグループＸを様々な角度から撮影（撮像）する複数のカメラＣＡと、大型スクリーンと、が設置されている。複数のカメラＣＡで撮影された画像は、例えば、大型スクリーンに映し出されたり、他の会場へのライブ中継に用いられたり、後に放映されるテレビプログラムに用いられたり、後に発売するＤＶＤ、ＢＤ（Ｂｌｕ−ｒａｙ（登録商標）  Ｄｉｓｃ）等の記録メディアの制作に用いられたりする。なお、大型スクリーンには複数のカメラから得られた画像の中から担当者が選択した画像が映し出されるようになっている。そのため、各観客からしてみれば、大型スクリーンに自分が見たい画像（例えば、自分のファンであるメンバーの画像）が映し出されるとは限らない。以上のような構成は、従来からある一般的なライブコンサートのシステムであり、本発明の接続デバイスおよび画像表示システムの優れている所は、このような従来からある一般的なライブコンサートのシステムに簡単に組み込むことができる点にある。
【００２８】
以下、このような本発明の接続デバイスおよび画像表示システムについて詳細に説明する。なお、本明細書中の「画像」は、動画（映像）および静止画の両者を含んでおり、どちらであってもよい。
【００２９】
画像表示システム１００は、簡単に説明すれば、画像表示端末２００にそれを使用する観客一人ひとりに合った画像をリアルタイムで配信するシステムである。このような画像表示システム１００によれば、例えば、席がステージから遠くてアイドルグループＸがよく見えない場合や、前の席の観客の背が高くてアイドルグループＸがよく見えない場合等でも、画像表示端末２００によってアイドルグループＸを見ることができる。また、例えば、肉眼では確認できないような、メンバーＡ、Ｂの表情や演奏テクニック（例えば、ギター演奏の手元）を見ることもできる。そのため、観客にライブコンサートをより楽しんでもらうことができる。
【００３０】
なお、画像表示端末２００としては、特に限定されず、例えば、スマートフォン、タブレット端末、ノートパソコン、観客の頭部に装着するヘッドマウントディスレイ、観客の眼球に装着するコンタクトレンズ型の表示装置、フィルム型の表示装置、例えば時計のように腕に装着するウェアラブル端末、観客の前（例えば、前方の席の背もたれの背面）に設置された備え付けのモニター、３Ｄホログラム等を用いることができる。
【００３１】
また、画像表示端末２００は、観客個人が所有する端末であってもよいし、ライブコンサートの主催者（関係者を含む）が提供（貸与、譲渡）する端末であってもよい。本実施形態では、画像表示端末２００として、観客個人が所有するスマートフォンを用いる場合について代表して説明する。広く普及しているスマートフォンを画像表示端末２００として用いることで、より多くの観客に画像表示システム１００を提供することができる。また、観客個人が所有する端末を画像表示端末２００として用いることで、画像表示システム１００のコストを低減することができる。
【００３２】
なお、ライブコンサートの主催者が観客に画像表示端末２００を貸与する場合、ライブコンサート開始前に会場にて希望する観客に画像表示端末２００を貸与し、ライブコンサート終了後に会場にて画像表示端末２００を返却してもらえばよいが、貸与時に補償金を預かり、返却時に補償金を返却するといった方法をとるのが好ましい。このような方法によれば、例えば、観客が画像表示端末２００を返却せずにそのまま持ち帰ってしまうといった弊害を抑制することができる。
【００３３】
以上、画像表示端末２００について説明した。このような画像表示端末２００を用いて実施される画像表示システム１００は、カメラＣＡで撮像された画像を画像表示端末２００で表示できるように構成されている。より具体的には、画像表示システム１００は、複数のカメラＣＡで撮像された複数の画像を取得し、取得した２つ以上の画像を画像表示端末２００に表示する第１表示状態（マルチ画像表示状態）と、第１表示状態で表示された２つ以上の画像から選択された画像を表示する第２表示状態（選択画像表示状態）と、を取り得ることができるように構成されている。
【００３４】
このような画像表示システム１００は、図１に示すように、複数のカメラＣＡからの画像（ライブ映像）を取得する画像取得部１１０と、画像取得部１１０が取得した複数のカメラＣＡからの複数の画像からマルチ画像信号を生成する画像生成部１２０と、画像生成部１２０で生成したマルチ画像信号をストリーミング配信（送信）する配信部１３０（送信部）と、ネットワーク１４０と、画像表示端末２００に接続して用いられる接続デバイス１５０と、各画像表示端末２００のセッションデータ等を記憶するデータサーバ１６０と、を有している。
【００３５】
画像取得部１１０は、複数のカメラＣＡからの画像を取得する。なお、画像取得部１１０が取得する画像の数としては、特に限定されず、ライブコンサートの規模、アーティストのメンバー数等によって適宜設定することができる。また、画像取得部１１０は、設置された全てのカメラＣＡから画像を取得してもよいし、選択した一部のカメラＣＡから画像を取得してもよい。また、選択した一部のカメラＣＡから画像を取得する場合、カメラＣＡの選択をライブコンサート中に自由に変更できるようになっていてもよい。
【００３６】
画像生成部１２０は、画像取得部１１０が取得した複数のカメラＣＡからの複数の画像からマルチ画像ＭＳ（マルチ画像の画像データ）を生成する。すなわち、マルチ画像ＭＳは、１つの画像に複数のカメラＣＡの画像を含んでいる。また、マルチ画像ＭＳに含まれる複数の画像は、互いに同期がとられている。すなわち、マルチ画像ＭＳには、実質的に同時刻の複数の画像が含まれている。
【００３７】
このようなマルチ画像ＭＳは、例えば、図２に示すような構成とすることができる。図２に示すマルチ画像ＭＳは、縦×横＝２×４に分割された計８つの画像領域Ｓ１〜Ｓ８を有し、画像領域Ｓ１〜Ｓ８には、それぞれ、画像Ｐ１〜Ｐ８が表示されるようになっている。なお、画像Ｐ１〜Ｐ８は、それぞれ、画像取得部１１０が取得した複数の画像のいずれかである。
【００３８】
例えば、画像取得部１１０が８台のカメラＣＡから画像を取得している場合には、これら全ての画像が画像Ｐ１〜Ｐ８として画像領域Ｓ１〜Ｓ８に表示される。また、画像取得部１１０が９台以上のカメラＣＡから画像を取得している場合には、これら画像のうちから選択された８つの画像が画像Ｐ１〜Ｐ８として画像領域Ｓ１〜Ｓ８に表示される。なお、画像領域Ｓ１〜Ｓ８には、それぞれ、別の画像を選択するのが好ましいが、画像領域Ｓ１〜Ｓ８の少なくとも２つの領域で同じ画像を選択してもよい。また、マルチ画像ＭＳに含まれる画像領域の数としては、特に限定されず、２〜７つであってもよいし、９つ以上であってもよい。
【００３９】
配信部１３０は、画像生成部１２０で生成したマルチ画像ＭＳをライブストリーミング用にエンコードし、ネットワーク１４０を介してストリーミング配信する。なお、ネットワーク１４０としては、特に限定されず、無線、有線を問わない。ただし、例えば、Ｗｉ−Ｆｉ（登録商標）等の無線ＬＡＮ（ローカルエリアネットワーク）を用いることが好ましい。また、ライブコンサート会場に常設されているネットワークであってもよいし、ライブコンサートの主催者が設置したネットワークであってもよい。
【００４０】
このように、画像Ｐ１〜Ｐ８が含まれるマルチ画像ＭＳを配信することで、例えば、複数のカメラＣＡから取得した画像をそれぞれ配信する場合と比較して、通信データ容量を抑えることができる。そのため、よりスムーズでかつ安定した配信が可能となる。
【００４１】
接続デバイス１５０は、画像表示端末２００に接続して用いられるデバイスであり、図３に示すように、画像表示端末２００上で起動させるアプリケーション１５１（プログラム）と、マルチ画像ＭＳを送受信する通信部１５２と、記憶部１５３と、バッテリー１５４と、画像表示端末２００と接続するコネクタ１５５と、規制部１５７と、を有している。
【００４２】
ここで、接続デバイス１５０では、コネクタ１５５を画像表示端末２００に接続するだけで、画像表示端末２００上でアプリケーション１５１が起動されることが好ましい。すなわち、接続デバイス１５０を画像表示端末２００に接続する以外に、観客個人が手動でアプリケーション１５１を画像表示端末２００にインストールしたり、手動でアプリケーション１５１の各種セッティングを行ったりすることなく、画像表示端末２００上でアプリケーション１５１が起動されることが好ましい。これにより、接続デバイス１５０を用いる観客全員が、混乱なく、アプリケーション１５１を使用することができる。
【００４３】
また、接続デバイス１５０は、登録された画像表示端末２００以外の画像表示端末２００での利用を制限する端末プロテクト機能を有している。これにより、１つの接続デバイス１５０が２つ以上の画像表示端末２００で使い回されるのを防止することができる。そのため、画像表示システム１００の提供者の利益の減少を抑制することができると共に、接続デバイス１５０の使用者同士の公平性を確保することができる。このような端末プロテクト機能の仕組みとしては、例えば、最初に接続された画像表示端末２００の識別ＩＤを取得、登録し、その後は、登録された識別ＩＤの画像表示端末２００でしか使用できないようにすることが挙げられる。なお、このような端末プロテクト機能は、有していなくてもよい。また、１つの接続デバイス１５０で使用可能な画像表示端末２００の数は、１つに限定されず、２つ以上であってもよい。
【００４４】
また、接続デバイス１５０は、登録されたイベント以外でのアプリケーション１５１の利用を制限するイベントプロテクト機能を有している。これにより、アプリケーション１５１が異なるイベントに使い回されるのを防止することができる。そのため、画像表示システム１００の提供者の利益の減少を抑制することができると共に、接続デバイス１５０の使用者同士の公平性を確保することができる。なお、イベントプロテクト機能は、有していなくてもよい。
【００４５】
次に、図４に基づいて、画像表示端末２００および接続デバイス１５０を用いた通信方法について説明する。
【００４６】
図４に示す通信方法は、まず、無線ＬＡＮ通信部を有し、ネットワーク１４０と接続可能な複数の画像表示端末２００の中から、一部の画像表示端末２００を親ノード２００Ａ（上位端末）として選択する。なお、親ノード２００Ａとしては、例えば、ネットワーク１４０へのアクセスポイントに近い等、ネットワーク１４０との通信状態が良好な画像表示端末２００が選ばれる。
【００４７】
例えば、画像表示端末２００上でアプリケーション１５１を起動させたときに、その画像表示端末２００とネットワーク１４０との接続状態を確認し、接続状態の良い画像表示端末２００を親ノード２００Ａとして選択してもよい。また、例えば、画像表示端末２００がＧＰＳ機能を有していれば、当該ＧＰＳ機能を用いて、画像表示端末２００とアクセスポイントとの距離を求め、距離の近い画像表示端末２００を親ノード２００Ａとして選択してもよい。なお、接続デバイス１５０がＧＰＳ機能を有し、画像表示端末２００の代わりにアクセスポイントとの距離を求めるようになっていてもよい。ここで、通信環境は、周囲の状況（環境）によって経時的に変化するため、定期的に、親ノード２００Ａの選択をし直すことが好ましい。
【００４８】
このようにして選択された親ノード２００Ａは、無線ＬＡＮ通信部によってネットワーク１４０に接続され、ネットワーク１４０を介してマルチ画像ＭＳを受信する。一方、親ノード２００Ａ以外の画像表示端末２００は、子ノード２００Ｂ（下位端末）とされ、各子ノード２００Ｂは、接続デバイス１５０が有する規制部１５７によって、ネットワーク１４０との接続が規制される。すなわち、子ノード２００Ｂは、ネットワーク１４０と接続されない。これにより、親ノード２００Ａ以外の画像表示端末２００のネットワーク１４０へのアクセスを防止することができる。そのため、ネットワーク１４０に接続される画像表示端末２００の数を制限することができ、ネットワーク１４０の通信速度の低下、ダウン（パンク）といった通信障害の発生を抑制することができる。
【００４９】
なお、子ノード２００Ｂでは、規制部１５７によってネットワーク１４０との接続が自動的に規制されるようになっているのが好ましい。また、親ノード２００Ａの数としては、特に限定されず、ネットワーク１４０の性能等によって適宜設定することができる。
【００５０】
一方、全ての画像表示端末２００は、接続デバイス１５０の通信部１５２によって互いに接続されている。通信部１５２は、例えば、Ｂｌｕｅｔｏｏｔｈ（登録商標）等の近距離無線通信（ネットワーク１４０を介さない通信）により互いに接続可能に構成されている。
【００５１】
そして、通信部１５２で構築されるネットワーク１７０を用いて、親ノード２００Ａは、親ノード２００Ａ同士でマルチ画像ＭＳの受信状況を確認、キャッシュ（記憶）し合いながら、受信したマルチ画像ＭＳを子ノード２００Ｂに送信する。一方で、子ノード２００Ｂは、子ノード２００Ｂ同士で親ノード２００Ａからのマルチ画像ＭＳの受信状況を確認、キャッシュし合いながら、マルチ画像ＭＳを互いに送り合う。すなわち、複数の画像表示端末２００が、ネットワーク１７０を介して、互いにデータを補いながらマルチ画像ＭＳを送受信する。なお、ネットワーク１７０は、多数の画像表示端末２００をつなぐネットワークの総体として捉えることもできるし、例えば、２つの親ノード２００Ａ同士（２つの子ノード２００Ｂ同士、１つの親ノード２００Ａと１つの子ノード２００Ｂ）をつなぐネットワークとして捉えることができる。後者の場合には、ネットワーク１７０が複数形成されることとなる。
【００５２】
このような方法によれば、ネットワーク１７０にさえ繋がっていれば、マルチ画像ＭＳを受信することができる。そのため、例えば、ある画像表示端末２００が、アクセスポイントから遠く離れており、ネットワーク１４０に接続できない状態にあっても、ネットワーク１７０に接続されてさえいれば、他の画像表示端末２００（接続デバイス１５０）を介してマルチ画像ＭＳを受信することができる。また、前述したように、複数の画像表示端末２００（接続デバイス１５０）間で、互いに受信状況を確認、キャッシュし合っているため、例えば、図４中の親ノード２００Ａ’から子ノード２００Ｂ’にマルチ画像ＭＳを送信している最中に、何らかの原因で、これらの間でネットワーク１７０が遮断されたとしても（ネットワーク１７０をネットワークの総体として見た場合には、ネットワーク１７０の一部が遮断されたとしても）、別の親ノード２００Ａ”や別の子ノード２００Ｂ”からネットワーク１７０を介して子ノード２００Ｂ’にマルチ画像ＭＳが送信される。このように、図４に示す通信方法によれば、マルチ画像ＭＳの送受信の信頼性を高めることができる。
【００５３】
ここで、ライブ会場では、多くの観客（接続デバイス１５０）が密集することが想定されるため、ネットワーク１７０がより確実に構築されると共に、ネットワーク１７０で繋がる接続デバイス１５０の数も多くなる。上述のような通信方法では、画像表示端末２００の数が多く、かつ、密集する程、より信頼性の高いネットワーク１７０が構築されるため、この点からすれば、上述のような通信方法は、ライブ会場等で用いるのに特に適していると言える。
【００５４】
また、別の通信方法として、例えば、図５に示すような通信方法であってもよい。この通信方法は、各画像表示端末２００がネットワーク１４０と接続され、マルチ画像ＭＳを受信するようになっている。なお、画像表示端末２００に代わって、各接続デバイス１５０がネットワーク１４０と接続され、マルチ画像ＭＳを受信するようになっていてもよい。
【００５５】
以上、通信方法として２つの例を挙げて説明したが、通信方法としては、特に限定されない。また、前述した通信方法では、画像表示端末２００が通信機能を有しているが、画像表示端末２００が通信機能を有していない場合も考えられる。そのため、接続デバイス１５０の通信部１５２は、ネットワーク１４０とも接続可能に構成されていることが好ましい。これにより、通信機能を持たない端末であっても、画像表示端末２００として使用することが可能となる。
【００５６】
次に、アプリケーション１５１について説明する。アプリケーション１５１は、使用されるイベント毎に適切にカスタマイズされている。このようなアプリケーション１５１は、受信したマルチ画像ＭＳを画像表示端末２００上でライブストリーミング再生し、画像表示端末２００の画面２１０に表示する機能を有している。なお、前述したように、マルチ画像ＭＳは、親ノード２００Ａであれば、親ノード２００Ａ自身が受信し、子ノード２００Ｂであれば、接続デバイス１５０が受信する。
【００５７】
また、アプリケーション１５１は、図６に示すように、複数の画像が表示されたマルチ画像Ｍを画面２１０に表示することができる。なお、以下では、説明の便宜上、マルチ画像Ｍが表示された状態を第１表示状態（マルチ画像表示状態）とも言う。
【００５８】
マルチ画像Ｍとしては、特に限定されないが、例えば、図６に示すように、画面２１０が９つの画像領域ＳＳ１〜ＳＳ９に分割されており、そのうちの１つの画像領域ＳＳ１をメイン画像とし、他の８つの画像領域ＳＳ２〜ＳＳ９をサブ画像とする構成が挙げられる。そして、サブ画像である画像領域ＳＳ２〜ＳＳ９には、受信したマルチ画像ＭＳに含まれる画像Ｐ１〜Ｐ８が表示され、メイン画像となる画像領域ＳＳ１には、画像Ｐ１〜Ｐ８の中から選択された１つの画像（図６では画像Ｐ１）が表示される。すなわち、アプリケーション１５１は、マルチ画像ＭＳ（１つの画像にまとめられた画像Ｐ１〜Ｐ８）を画像Ｐ１〜Ｐ８毎に分割し、分割したそれぞれの画像Ｐ１〜Ｐ８を画像領域ＳＳ１〜ＳＳ９に割り当てて表示する。
【００５９】
ここで、画像領域ＳＳ１〜ＳＳ９に表示される画像を違和感なく観賞するためには、画像領域ＳＳ１〜ＳＳ９に表示される画像が互いに同期されていることが重要である。この点において、マルチ画像ＭＳに含まれる画像Ｐ１〜Ｐ８は、前述したように互いに同期がとられているため、上述のような、マルチ画像ＭＳを分割して画像領域ＳＳ１〜ＳＳ９に画像Ｐ１〜Ｐ８を表示する方法によれば、画像表示端末２００側で画像Ｐ１〜Ｐ８の同期をとる必要がない。そのため、アプリケーション１５１に、画像を同期させるための機能が不要となり、アプリケーション１５１の簡素化を図ることができる。
【００６０】
また、サブ画像である画像領域ＳＳ２〜ＳＳ９は、互いに同じ大きさで表示され、メイン画像である画像領域ＳＳ１は、サブ画像である画像領域ＳＳ２〜ＳＳ９よりも大きく表示されている。このように、メイン画像を大きく表示することで、メイン画像が視認され易くなる。
【００６１】
なお、受信したマルチ画像ＭＳ（１つの画像にまとめられた画像Ｐ１〜Ｐ８）を９つの画像領域ＳＳ１〜ＳＳ９に分割して表示する方法としては、特に限定されないが、例えば、以下のような方法が挙げられる。
【００６２】
１つの方法として、画素に基づく方法が挙げられる。例えば、アプリケーション１５１は、マルチ画像ＭＳのうちのどの画素領域（画素の集合体）で画像Ｐ１〜Ｐ８がそれぞれ構成されているかの情報を有する。より具体的には、アプリケーション１５１は、例えば、図７に示すように、マルチ画像ＭＳが１８行×６４列に並ぶ画素を有し、１〜９行×１〜１６列の画素領域で画像Ｐ１が構成され、１〜９行×１７〜３２列の画素領域で画像Ｐ２が構成され、１〜９行×３３〜４８列の画素領域で画像Ｐ３が構成され、１〜９行×４９〜６４列の画素領域で画像Ｐ４が構成され、１０〜１８行×１〜１６列の画素領域で画像Ｐ５が構成され、１０〜１８行×１７〜３２列の画素領域で画像Ｐ６が構成され、１０〜１８行×３３〜４８列の画素領域で画像Ｐ７が構成され、１０〜１８行×４９〜６４列の画素領域で画像Ｐ８が構成されているとする情報を有する。そして、アプリケーション１５１は、この情報に基づいて、受信したマルチ画像ＭＳを画像Ｐ１〜Ｐ８に分割し、分割した画像を９つの画像領域ＳＳ１〜ＳＳ９に表示する。このような方法によれば、比較的簡単に、受信したマルチ画像ＭＳを９つの画像領域ＳＳ１〜ＳＳ９に分割して表示することができる。なお、上述の情報は、アプリケーション１５１が予め有していてもよいし、マルチ画像ＭＳと共に受信してもよい。
【００６３】
また、別の方法として、例えば、図８に示すように、マルチ画像ＭＳに各画像Ｐ１〜Ｐ８を区切る枠ＢＭを設定しておき、アプリケーション１５１は、この枠ＢＭを認識することにより受信したマルチ画像ＭＳを画像Ｐ１〜Ｐ８に分割し、分割した画像を９つの画像領域ＳＳ１〜ＳＳ９に表示する。このような方法によっても、比較的簡単に、受信したマルチ画像ＭＳを９つの画像領域ＳＳ１〜ＳＳ９に分割して表示することができる。
【００６４】
アプリケーション１５１は、上記のような処理が可能なように、例えば、受信したマルチ画像ＭＳを上述のような方法で分割する機能と、分割した画像に対応する画像領域ＳＳ１〜ＳＳ９に表示する機能と、を有している。ただし、アプリケーション１５１の構成としては、特に限定されない。
【００６５】
また、アプリケーション１５１は、メイン画像とサブ画像とを切り替えることができる。すなわち、例えば、図９に示すように、メイン画像として画像Ｐ１が表示されている状態から、メイン画像として画像Ｐ８が表示されている状態へ切り替えることができる。これにより、それまでサブ画像であった映像を大きいメイン画像として視認できるため、各画像Ｐ１〜Ｐ８を鮮明に視認することができる。
【００６６】
メイン画像とサブ画像とを切り替える方法としては、特に限定されず、画像表示端末２００や接続デバイス１５０の構造によっても異なる。例えば、図９に示すように、指Ｆによるタッチ入力が可能な場合には、タッチ入力（例えば、メイン画像としたいサブ画像をタップする方法や、メイン画像としたいサブ画像を画像領域ＳＳ１にドラッグする方法等）により切り替えることができる。また、例えば、画像表示端末２００や接続デバイス１５０が加速度や角速度を検出可能な構成である場合には、物理的な入力（振動を与える、向きを変える等）により切り替えることができる。また、画像表示端末２００や接続デバイス１５０に物理キーが設けられている場合には、物理キーを操作することにより切り替えることができる。
【００６７】
このようなマルチ画像Ｍの変形例として、例えば、図１０および図１１に示す構成が挙げられる。図１０に示すマルチ画像Ｍは、メイン画像となる画像領域ＳＳ１が図６に示す構成よりも大きく配置されており、この画像領域ＳＳ１に重なるようにしてサブ画像となる画像領域ＳＳ２〜ＳＳ９が配置されている。一方、図１１に示すマルチ画像Ｍは、メイン画像となる画像領域ＳＳ１が画面の最も手前側に位置しており、この画像領域ＳＳ１の奥側に重なるようにサブ画像となる画像領域ＳＳ２〜ＳＳ９が配置されている。この場合は、例えば、画面２１０を横方向にスクロールすることで、メイン画像を切り替えることができる。
【００６８】
さらに、アプリケーション１５１は、第１表示状態（マルチ画像表示状態）で表示された複数の画像Ｐ１〜Ｐ８から選択された画像を全画面表示することができる。なお、以下では、説明の便宜上、この状態を第２表示状態（選択画像表示状態）とも言う。
【００６９】
図１２に示すように、第２表示状態で表示される画像は、第１表示状態で直前にメイン画像として表示されていた画像（図１２では画像Ｐ１）であり、第２表示状態で表示される画像は、第１表示状態で表示されるメイン画像よりも大きい。また、第２表示状態では、選択された画像（メイン画像）以外の画像（サブ画像）は表示されない。これにより、第２表示状態において、第１表示状態でのメイン画像をさらに大きく拡大して表示することができ、サブ画像も表示されないため、メイン画像をさらに視認し易くなる（メイン画像のみに没入することができる）。
【００７０】
第１表示状態から第２表示状態への切り替え方法としては、特に限定されず、画像表示端末２００や接続デバイス１５０の構造によっても異なる。例えば、画面２１０へのタッチ入力が可能な場合には、タッチ入力（例えば、メイン画像をダブルタップ、ロングタップする方法等）により切り替えることができる。また、例えば、画像表示端末２００や接続デバイス１５０が加速度や角速度を検出可能な構成である場合には、物理的な入力（振動を与える、向きを変える等）により切り替えることができる。また、画像表示端末２００や接続デバイス１５０に物理キーが設けられている場合には、物理キーを操作することにより切り替えることができる。また、第１表示状態から第２表示状態への切り替えや第２表示状態から第１表示状態への切り替えは、何度でも行うことができる。
【００７１】
さらに、第２表示状態では、表示された画像を拡大することができる。これにより、使用者は、画像のより細部まで視認することができる。画像を拡大する方法としては、特に限定されず、画像表示端末２００や接続デバイス１５０の構造によっても異なる。例えば、画面２１０へのタッチ入力が可能な場合には、タッチ入力（例えば、ピンチアウト、ピンチイン）により拡大縮小を行うことができる。また、例えば、画像表示端末２００や接続デバイス１５０が加速度や角速度を検出可能な構成である場合には、物理的な入力（振動を与える、向きを変える等）により拡大縮小を行うことができる。また、画像表示端末２００や接続デバイス１５０に物理キーが設けられている場合には、物理キーを操作することにより拡大縮小を行うことができる。
【００７２】
また、第１表示状態に切り替えてメイン画像を変更することなく、第２表示状態で表示される画像を変更できてもよい。すなわち、第２表示状態のままで、例えば、画像Ｐ１から画像Ｐ２へ画像を変更できてもよい。これにより、アプリケーション１５１の操作性が向上する。画像を変更する方法としては、特に限定されず、画像表示端末２００や接続デバイス１５０の構造によっても異なる。例えば、画面２１０へのタッチ入力が可能な場合には、タッチ入力（例えば、横方向または縦方向へのスクロール）により画像の変更を行うことができる。また、例えば、画像表示端末２００や接続デバイス１５０が加速度や角速度を検出可能な構成である場合には、物理的な入力（振動を与える、向きを変える等）により画像の変更を行うことができる。また、画像表示端末２００や接続デバイス１５０に物理キーが設けられている場合には、物理キーを操作することにより画像の変更を行うことができる。
【００７３】
なお、本実施形態では、第２表示状態において、メイン画像が画面全域にわたって表示されているが、第２表示状態での画像の大きさは、第１表示状態でのメイン画像の大きさよりも大きければ特に限定されない。また、本実施形態では、第２表示状態において、第１表示状態でのメイン画像が拡大表示される構成について説明したが、第２表示状態において拡大表示される画像としては、これに限定されず、サブ画像であってもよい。また、第２表示状態において拡大表示される画像としては１つに限定されず、例えば、２つの画像を拡大表示できるようになっていてもよい。
【００７４】
以上、第１表示状態および第２表示状態について説明したが、これらの各状態で表示される画像には音声が含まれていてもよいし、含まれていなくてもよい。ただし、音声が含まれていないことが好ましい。これにより、雑音が抑えられ、会場に響く生音を楽しむことができる。また、アプリケーション１５１は、例えば、第１表示状態および第２表示状態の一方だけを表示できるようになっていてもよい。
【００７５】
また、アプリケーション１５１は、例えば、画面２１０を、第１、第２表示状態以外の表示状態に切り替えることができてもよい。例えば、ライブコンサートのセットリストを確認できる第３表示状態に切り替えることができてもよい。これにより、観客は、ライブコンサートで歌われる曲およびその順番を容易に確認することができる。なお、第３表示状態で表示されるセットリストは、現在歌われている曲および既に歌われた曲に限定され、これから歌われる曲については表示されないことが好ましい。これにより、後に歌われる曲の秘密性が確保される。
【００７６】
また、アプリケーション１５１により、セットリストに含まれている曲（例えば、曲単体、その曲が含まれているシングルＣＤ、その曲が含まれているアルバムＣＤ等）を、画像表示端末２００を用いてその場で購入（所謂「ネット購入」）できるようにしてもよい。このような機能を有することで、ライブコンサートの高揚感によって、販売促進に寄与することが期待される。また、観客が知らない曲の場合、その場で購入できることで、後日にその曲を思い出すことができずに購入することができなくなることを防止することもできる。
【００７７】
次に、記憶部１５３について説明する。記憶部１５３は、画面２１０に表示された画像（特に、第２表示状態で表示された画像）の履歴をセッションデータとして記憶する。記憶部１５３に記憶されたセッションデータは、例えば、対応する画像表示端末２００がネットワーク１４０と接続されている際に、ネットワーク１４０を介してデータサーバ１６０に送信され、データサーバ１６０に保存される。
【００７８】
また、各接続デバイス１５０は、自身のセッションデータを他の接続デバイス１５０に送信し、反対に、他の接続デバイス１５０からセッションデータ受信して記憶する。つまり、各接続デバイス１５０は、自身を含め全接続デバイス１５０のセッションデータを記憶する。これにより、全接続デバイス１５０のセッションデータを、全接続デバイス１５０で共有することができる。例えば、セッションデータの一部または全部が何らかの原因でデータサーバ１６０に保存（更新）されなかった場合が考えられる。このような場合には、各接続デバイス１５０で共有しているセッションデータを用いて、互いに証明し合うことで、前述の保存（更新）できなかったセッションデータをデータサーバ１６０上で補完（復元）することができる。そのため、より確実に、各接続デバイス１５０のセッションデータをデータサーバ１６０に保存することができる。
【００７９】
また、画像表示システム１００では、ライブコンサートが終了した後、観客がセッションデータに基づいた動画を見られるようになっていてもよい。具体的には、ライブコンサートの後日に、スマートフォン、ＰＣ等の通信端末からデータサーバ１６０にアクセスすることで、ライブコンサート中に画像表示端末２００を用いて選択した画像と同じ画像を見られるようになっていてもよい。この際、画像表示システム１００は、データサーバ１６０に保存されたセッションデータに基づいて画像を再現することができる。なお、ここで提供する画像には、画像と同期した音声が含まれていることが好ましい。前述したように、ライブコンサート中では、臨場感を楽しむために画像に音声が含まれていないことが好ましいが、逆に、ライブコンサートの終了後に見る画像には音声が含まれている方がより臨場感が増す。
【００８０】
このように、画像を見直すことができれば、ライブコンサートの興奮を思い出す等、ライブコンサート後にも楽しむことができる。なお、この際、ライブコンサートで用いた接続デバイス１５０がアクセスキーとして機能することが好ましい。すなわち、例えば、接続デバイス１５０が接続された通信端末以外の通信端末からのデータサーバ１６０へのアクセスが制限されていることが好ましい。これにより、接続デバイス１５０の持ち主しかデータサーバ１６０にアクセスすることができないため、不特定多数にアクセスされてしまう（画像が見られてしまう）といった問題を防止することができる。なお、例えば、接続デバイス１５０を繋がなくても、事前に定められたＩＤ、パスワード等を入力することでデータサーバ１６０へのアクセスが可能となる構成でもよいが、この場合、ＩＤ、パスワードを入手すれば、誰でもデータサーバ１６０へアクセスすることができてしまう。この点からすれば、接続デバイス１５０をアクセスキーとして用いる方が、より厳重なセキュリティを構築することができる。
【００８１】
次に、バッテリー１５４について説明する。バッテリー１５４は、接続デバイス１５０の電源（アプリケーション１５１を駆動する電源）として機能するのはもちろんの事、画像表示端末２００の予備電源としても機能する。ライブコンサート中、長時間にわたって画像表示端末２００を使用すれば、相当の電力が消費され、ライブコンサート終了まで画像表示端末２００の電源が持たない場合が考えられる。そのため、画像表示端末２００の予備電源として機能し得るバッテリー１５４を搭載しておくことで、上述のように、ライブコンサートの途中で画像表示端末２００の電源が落ちてしまうことを低減することができる。
【００８２】
なお、バッテリー１５４は、省略してもよい。この場合は、本実施形態とは逆に、画像表示端末２００が内蔵するバッテリーから電源を供給することで、接続デバイス１５０を駆動させればよい。また、バッテリー１５４が内蔵されているか、省略されているかに関わらず、接続デバイス１５０に、接続デバイス１５０および画像表示端末２００とは別体のバッテリー（外付けバッテリー）を接続するための接続部（コネクタ）が設けられていることが好ましい。これにより、例えば、観客の所有物である外付けバッテリーを接続デバイス１５０に接続可能となり、この外付けバッテリーを接続デバイス１５０や画像表示端末の電源または予備電源として用いることができる。
【００８３】
次に、コネクタ１５５について説明する。コネクタ１５５は、接続デバイス１５０を画像表示端末２００に電気的に接続する機能を有している。そのため、コネクタ１５５は、画像表示端末２００に接続可能な構造（規格）となっている。
【００８４】
ここで、特に、画像表示端末２００として観客個人が有するものを用いる場合、画像表示端末２００のメーカー等によってＯＳ（オペレーティングシステム）やコネクタが異なっていることが想定される。現状に基づいて、スマートフォンについて具体例を挙げれば、例えば、ＯＳとしては、アップル社が提供する「ｉＯＳ」や、グーグル社が提供する「ａｎｄｒｏｉｄ」（登録商標）が広く用いられており、コネクタとしては、ｉＯＳを搭載した機種で用いられている「Ｌｉｇｈｔｎｉｎｇコネクタ」やａｎｄｒｏｉｄを搭載した機種で用いられている「ＭｉｃｒｏＵＳＢコネクタ」が広く用いられている。
【００８５】
そのため、例えば、ｉＯＳ端末用の接続デバイス１５０と、ａｎｄｒｏｉｄ端末用の接続デバイス１５０とが別々に用意されていてもよい。また、例えば、各接続デバイス１５０が、アプリケーション１５１としてｉＯＳ用のアプリケーションとａｎｄｒｏｉｄ用のアプリケーションとを有し、さらに、コネクタ１５５としてＬｉｇｈｔｎｉｎｇコネクタとＭｉｃｒｏＵＳＢコネクタとを有していてもよい。
【００８６】
また、例えば、図１３に示すように、接続デバイス１５０をｉＯＳ端末用に変換する変換コネクタ１８０Ａと、接続デバイス１５０をａｎｄｒｏｉｄ端末用に変換する変換コネクタ１８０Ｂと、を有し、これら変換コネクタ１８０Ａ、１８０Ｂを介して接続デバイス１５０を画像表示端末２００に接続する構成としてもよい。この場合、変換コネクタ１８０Ａ、１８０Ｂには、必要に応じて、アプリケーション１５１をｉＯＳ用またはａｎｄｒｏｉｄ用に変換する変換プログラム、バッテリー等を有していてもよい。
【００８７】
これら各方法によれば、比較的簡単に、種類の異なる画像表示端末２００のそれぞれに対応可能な接続デバイス１５０が得られる。なお、上述の記載は、説明の便宜上、具体的な一例を挙げただけであり、ＯＳやコネクタの種類は、特に限定されない。
【００８８】
以上、接続デバイス１５０について説明した。ただし、接続デバイス１５０の構成としては、特に限定されず、例えば、上述した機能以外にも、必要に応じて各種機能を搭載することができる。例えば、接続デバイス１５０は、ビーコン機能を有していてもよい。これにより、例えば、コンサート会場にビーコン発振器が設置されており、接続デバイス１５０がそのビーコンを受信した際には、自動的に何らかのアクション（例えば、画面２１０への各種情報の表示）を励起することができる。
【００８９】
以上、画像表示システム１００の基本構成について説明した。次に、画像表示システム１００の具体的な使用例を上述したアイドルグループＸのライブコンサートの例を挙げて説明する。
【００９０】
例えば、ある画像表示端末２００（接続デバイス１５０が接続された画像表示端末２００）を使用している観客がアイドルグループＸのメンバーＡのファンであったとする。このような場合、当該観客は、第１表示状態の画面２１０を確認し、複数の画像からメンバーＡが映っている画像を選択することで、メイン画面にメンバーＡが映っている画像を表示することができ、第２表示状態としてこの画像を拡大表示することもできる。そのため、ライブコンサートを肉眼で観賞しながら、これに加えてさらに画像表示端末２００で画像を観賞することで、ライブコンサートをより楽しむことができる。
【００９１】
また、例えば、大勢の観客の中には、どの歌のどのタイミングでどのメンバーがどのようなポーズを決めるといったことを熟知しており、そのポーズを絶対に見たいと思っている観客もいる。このような場合は、そのタイミングに合わせて、ポーズを決めるメンバーが最も良いアングルで映っている画像を選択し、全画面表示（第２表示状態）にしておくことで、画像表示端末２００を通してそのポーズを鮮明に観賞することができる。このように、観客自身の希望に合わせて画像を切り替えられる機能を「選択機能」とも言う。
【００９２】
ここで、メンバーＡのファンである観客用の接続デバイス１５０Ｃと、メンバーＢのファンである観客用の接続デバイス１５０Ｄと、を区別し、接続デバイス１５０Ｃが接続されている画像表示端末２００Ｃには主にメンバーＡが映っている画像を配信し、接続デバイス１５０Ｄが接続されている画像表示端末２００Ｄには主にメンバーＢが映っている画像を配信するようにしてもよい。すなわち、複数の画像表示端末２００に、その使用者の属性に合わせて異なる画像を配信してもよい。このような構成によれば、ファンであるメンバーを追跡するように画像表示端末２００に画像が表示されるため（各観客のニーズに合った画像を配信することができるため）、観客は、ますますライブコンサートを楽しむことができる。このように、特定のメンバーを追跡する画像が画像表示端末２００に表示される機能を「追跡機能」とも言う。
【００９３】
この場合、図１４に示すように、画像生成部１２０は、画像取得部１１０が取得した複数の画像からメンバーＡが映っている画像を選択して接続デバイス１５０Ｃ用のマルチ画像ＭＳを生成するメンバーＡ用生成部１２１と、画像取得部１１０が取得した複数の画像からメンバーＢが映っている画像を選択して接続デバイス１５０Ｄ用のマルチ画像ＭＳを生成するメンバーＢ用生成部１２２と、を有している。また、配信部１３０は、メンバーＡ用生成部１２１で生成したマルチ画像ＭＳを１つの画像としてライブストリーミング用にエンコードし、ネットワーク１４０を介して画像表示端末２００Ｃ（親ノード）にストリーミング配信するメンバーＡ用配信部１３１と、メンバーＢ用生成部１２２で生成したマルチ画像ＭＳを１つの画像としてライブストリーミング用にエンコードし、ネットワーク１４０を介して画像表示端末２００Ｄ（親ノード）にストリーミング配信するメンバーＢ用配信部１３２と、を有している。
【００９４】
なお、上記の説明では、初めから設定の異なる接続デバイス１５０（１５０Ｃ、１５０Ｄ）を用いることで、メンバーＡのファンであるかメンバーＢのファンであるかを区別しているが、同じ設定の接続デバイス１５０を用い、各観客がファンであるメンバーを画像表示端末２００を用いて選択するようになっていてもよい。
【００９５】
以上、画像表示システム１００の具体的な使用例の一例を説明した。このような画像表示システム１００によれば、各人が楽しむことのできるライブコンサート等を開催することができる。特に、本実施形態では、「選択機能」と「追跡機能」とを兼ね備えているため、各人がより一層楽しむことのできるライブコンサート等を開催することができる。
【００９６】
次に、画像表示システム１００の更なる機能について説明する。上述の機能は、観客側のための機能であったが、以下に述べる機能は、どちらかというと主催者側のための機能であると言える。
【００９７】
第１に、画像表示システム１００は、集計機能を有している。具体的には、画像表示システム１００は、複数の画像表示端末２００において、第２表示状態でどの画像が表示されているかをリアルタイムで集計し、記憶する集計部を有している。第２表示状態でどの画像が表示されているかは、例えば、セッションデータを用いて特定することができる。集計部には、例えば、図１５に示すように、複数の画像表示端末２００において、第２表示状態でどの画像が表示されているかが、時刻と共にリアルタイムに記憶される。集計部に記憶されたデータは、次のように利用することができる。
【００９８】
例えば、第２表示状態で多く表示されている画像は、より人気の高い画像であると推測することができるため、第２表示状態で最も多く表示されている画像（以下、「人気画像」とも言う）を第１表示状態で表示するマルチ画像のメイン画像とする。このように、より人気の高い画像をメイン画像とすることで、当該画像を観客が発見し易くなり、よりニーズに合った画像を効果的に観客に提供することができる。なお、人気画像をメイン画像に切り替えるタイミングとしては、特に限定されないが、例えば、第２表示状態から第１表示状態へ切り替わった際、第１表示状態でのメイン画面の選択が所定時間以上経過しても実施されなかった際とすることができる。
【００９９】
また、例えば、人気画像をスクリーンに表示する等、スクリーンに表示する画像の選択に、集計部で集計されたデータを用いることもできる。また、例えば、チケットを購入できなかったり、遠方に暮らしていてライブコンサートに参加できなかったりする人のために、近年では、映画館で生中継を行う企画等が行われている。このようなイベントにおいて、スクリーンに映し出す映像の選択に、集計部で集計されたデータを用いることもできる。
【０１００】
また、集計部で集計したデータは、後日、ライブコンサートの様子を収録したＤＶＤ、ＢＤ等の記録メディア（ダウンロード型のプログラムを含む）を制作する際の参考とすることができる。例えば、人気画像を多く使うことで、より購買者のニーズに合った記録メディアを制作することができる。
【０１０１】
以上、画像表示システム１００の集計機能について説明した。なお、上述の集計は、全ての画像表示端末２００から集計してもよいし、任意に選択した一部の画像表示端末２００から集計してもよい。また、一部の画像表示端末２００から集計する場合には、画像表示端末２００をランダムに選択してもよいし、ある程度の規則性を持って選択してもよい。例えば、会場全体にわたってなるべく均一に散らばるように画像表示端末２００を選択してもよいし、年齢や性別が偏らないように選択してもよい。これにより、偏ったデータの集計が防止される。
【０１０２】
第２に、画像表示システム１００は、コマーシャル機能を有している。具体的には、図６に示すように、画像表示システム１００は、画面２１０に、ライブ映像の他に、ライブ映像以外の画像Ｐ１０を表示することができる。なお、画像Ｐ１０としては、特に限定されず、例えば、アプリケーション１５１の使用方法、協賛企業のＣＭ（コマーシャルメッセージ）、過去のライブＤＶＤの紹介、会場の最寄り駅までの道案内、帰路につく際の交通手段の混雑状況等が挙げられる。また、例えば、画像Ｐ１０で紹介された商品を、画像表示端末２００を用いてその場で購入（所謂ネット購入）できるようになっていてもよい。なお、画像Ｐ１０は、第２表示状態では、表示しないことが好ましい。
【０１０３】
第３に、画像表示システム１００は、課金機能を有している。具体的には、例えば、定められた金額を支払えば、画像表示端末２００に表示される画像の全部または一部を録画することができ、記憶したデータを例えば自分のスマートフォン等に転送し保存できる機能が挙げられる。ただし、このような機能は、著作権法の各種問題を解決していることを前提に提供される。
【０１０４】
第４に、画像表示システム１００は、観客をライブに参加させる参加機能を有している。これにより、主催者側は、マーケティングデータを蓄積することができ、そのマーケティングデータを今後の活動に有効に活用することができる。また、観客のライブコンサートへの参加意識を高めることができ、各観客がライブコンサートをより楽しむことができると共に、コンサート会場の一体感が増し、よりよいライブコンサートとなる。
【０１０５】
このような参加機能としては、例えは、アンケート機能が挙げられる。これは、画像表示端末２００を用いて観客にアンケートに回答してもらう機能である。これにより、主催者側は、より有効なマーケティングデータを蓄積することができる。なお、アンケートの回収率を高めるために、例えば、アプリケーション１５１は、アンケート回答後でなければライブコンサートの画像を観賞できないように構成されていてもよい。アンケート内容については、特に限定されず、イベントの内容によっても異なるが、本実施形態の例では、例えば、年齢、性別、出身地、現住所等のデモグラフィック情報や、ライブコンサートへの参加頻度、ファンであるメンバーの名前等の嗜好性情報が挙げられる。これら情報の集計結果は、例えば、グラフ化（例えば、円グラフ化、棒グラフ化）されて会場内のスクリーンに映し出されてもよい。また、例えば、ライブコンサート終了後に、画像表示端末２００を用いてライブコンサートの感想等をアンケート形式で回収できるようになっていてもよい。
【０１０６】
また、参加機能としては、例えば、投票機能が挙げられる。これは、画像表示端末２００を用いて観客に投票してもらう機能である。これにより、主催者側は、より有効なマーケティングデータを蓄積することができる。投票内容については特に限定されず、イベントの内容によっても異なるが、本実施形態の例では、アンコールで歌って欲しい曲、曲のテースト（オリジナルバージョン、アコースティックバージョン、クラシックバージョン等）、やって欲しい余興等が挙げられる。例えば、予め選択されている複数の曲のうちからアンコールで歌って欲しい曲を投票し、投票数が最も多かった曲が実際にアンコールで歌われることで、より会場を盛り上げることができる。
【０１０７】
また、参加機能としては、例えば、抽選機能が挙げられる。これは、特定の画像表示端末２００を使用している観客に景品等がプレゼントされる機能である。このような機能によれば、より会場を盛り上げることができる。プレゼントとしては特に限定されず、例えば、ライブのオリジナルグッズやメンバーのサイン入りグッズ等が挙げられる。
【０１０８】
また、参加機能としては、例えば、メッセージ送信機能が挙げられる。これは、観客が画像表示端末２００を用いてメッセージを送信することができる機能である。例えば、画像表示端末２００を用いて送信されたメッセージをスクリーンに映し出し、そのメッセージに対してアイドルグループＸのメンバーＡ、Ｂが回答するといった形式をとることで、アイドルグループＸと観客との間で会話が成立し、ライブコンサートをより盛り上げることができる。
【０１０９】
また、参加機能としては、例えば、ゲーム機能が挙げられる。これは、画像表示端末２００を用いて観客がゲームに参加できる機能である。これにより、ライブコンサートをより盛り上げることができる。なお、ゲームとしては特に限定されず、ビンゴゲーム、アイドルグループＸとのじゃんけんゲーム、クイズ（特に、アイドルグループＸに関するクイズ）等が挙げられる。
【０１１０】
第５に、画像表示システム１００は、ポイント加算機能を有している。これは、特定のライブコンサートに参加する度にポイントが加算され、取得したポイント数に応じて種々の景品と交換できる機能である。このようなポイントシステムを採用することで、観客をより満足させることができる。なお、ポイント加算の仕組みとしては特に限定されず、例えば、アプリケーション１５１を作動させれば、自動的にポイントが加算される仕組みとなっていてもよいし、ライブコンサート内の特定の場所に設置された専用機器に接続デバイス１５０が接続された画像表示端末２００を翳すとポイントが加算される仕組みとなっていてもよい。
【０１１１】
第６に、画像表示システム１００は、通報機能を有している。これは、例えば、観客が体調を崩した際に、画像表示端末２００を用いて主催者側へ通報できる機能である。これにより、体調を崩した観客をより迅速に介抱することができる。
【０１１２】
以上、集計機能、コマーシャル機能、課金機能、参加機能、ポイント加算機能、通報機能について説明したが、これらを総称して「付加機能」と言う。このような付加機能を有することで、より楽しめるライブコンサートを提供することができる。なお、付加機能としては、上述した機能に限定されず、他の機能を有していてもよい。
【０１１３】
以上、接続デバイス１５０および画像表示システム１００について説明した。前述したように、接続デバイス１５０は、画像表示端末２００に接続して用いられ、異なるカメラＣＡで撮像された２つ以上の画像が表示される第１表示状態と、第１表示状態で表示された２つ以上の画像から選択された画像が表示される第２表示状態と、を取り得るように画像表示端末２００を制御するアプリケーション１５１を有している。そのため、第１表示状態で映し出された複数の画像から自分の見たい画像を選択して第２表示状態として映し出すことができるため、画像表示端末２００を有する観客一人ひとりが、楽しむことのできる接続デバイス１５０となる。
【０１１４】
また、前述したように、接続デバイス１５０は、アプリケーション１５１を駆動するバッテリー１５４を有している。そのため、バッテリーを別に用意したり、画像表示端末２００のバッテリーを用いたりすることなく、アプリケーション１５１を駆動することができる。また、前述したように、バッテリー１５４から画像表示端末２００へ電力が供給可能となっている。これにより、バッテリー１５４を画像表示端末２００の予備電源として用いることができるため、画像表示端末２００の駆動可能時間を延長することができ、ライブコンサート中に画像表示端末２００の電源が切れてしまうといった弊害を抑制することができる。
【０１１５】
また、前述したように、接続デバイス１５０は、他の接続デバイス１５０と近距離無線通信を行う通信部１５２を有している。これにより、複数の接続デバイス１５０間での通信が可能となり、利便性が向上する。
【０１１６】
また、前述したように、画像表示端末２００は、無線ＬＡＮ通信部を有し、接続デバイス１５０は、無線ＬＡＮ通信部での通信を規制する規制部１５７を有している。これにより、接続されている画像表示端末２００が子ノード２００Ｂとして選択された場合に、画像表示端末２００のネットワーク１４０へのアクセスを規制することができる。そのため、ネットワーク１４０に接続される画像表示端末２００の数を制限することができ、ネットワーク１４０の通信速度の低下、ダウン（パンク）といった通信障害の発生を抑制することができる。
【０１１７】
また、前述したように、接続デバイス１５０は、接続されている画像表示端末２００が親ノード２００Ａである場合、無線ＬＡＮ通信部によってマルチ画像ＭＳ（画像）を受信し、通信部１５２によってマルチ画像ＭＳ（画像）を他の接続デバイス１５０に送信する。これにより、ネットワーク１４０に繋がっていない子ノード２００Ｂにもマルチ画像ＭＳを送信することができる。
【０１１８】
また、前述したように、接続デバイス１５０は、接続されている画像表示端末２００が子ノード２００Ｂである場合、画像表示端末２００の無線ＬＡＮ通信部での通信を規制し、通信部１５２によって他の接続デバイス１５０からマルチ画像ＭＳ（画像）を受信する。これにより、ネットワーク１４０に繋がっていなくてもマルチ画像ＭＳを受信することができる。
【０１１９】
また、前述したように、アプリケーション１５１は、受信したマルチ画像ＭＳを各画像Ｐ１〜Ｐ８に分割し、分割した各画像Ｐ１〜Ｐ８を第１表示状態において画面２１０に表示する。これにより、使用者は、一度に複数の画像を確認でき、自身の好きな画像を選択し易くなる。
【０１２０】
また、前述したように、第１表示状態では、２つ以上の画像（本実施形態では、８つの画像Ｐ１〜Ｐ８）のうちの少なくとも１つの画像をメイン画像とすると共に、残りの画像をサブ画像とし、メイン画像がサブ画像よりも大きく表示されている。これにより、メイン画像をより確認し易くなる。さらに、第１表示状態では、メイン画像とサブ画像とを切り替え可能である。これにより、複数の画像Ｐ１〜Ｐ８をそれぞれメイン画像とすることができ、各画像Ｐ１〜Ｐ８を確認し易くなる。
【０１２１】
また、前述したように、第２表示状態で表示される画像は、第１表示状態でメイン画像として表示される画像である。これにより、操作性が向上する。すなわち、第１表示状態で最も大きく表示されている画像が、第２表示状態において表示されることにすれば、直感的な操作が可能となる。
【０１２２】
また、前述したように、画像表示システム１００は、接続デバイス１５０を用いて画像を提供している。そのため、上述の接続デバイス１５０の効果を発揮することができ、優れた娯楽性を有するシステムを提供することができる。
【０１２３】
以上、本発明の接続デバイスおよび画像表示システムを図示の実施形態に基づいて説明したが、本発明は、これに限定されるものではなく、各部の構成は、同様の機能を有する任意の構成のものに置換することができる。また、本発明に、他の任意の構成物が付加されていてもよい。また、各実施形態を適宜組み合わせてもよい。
【符号の説明】
【０１２４】
１００        画像表示システム
１１０        画像取得部
１２０        画像生成部
１２１        メンバーＡ用生成部
１２２        メンバーＢ用生成部
１３０        配信部
１３１        メンバーＡ用配信部
１３２        メンバーＢ用配信部
１４０        ネットワーク
１５０      接続デバイス
１５０Ｃ      接続デバイス
１５０Ｄ      接続デバイス
１５１        アプリケーション
１５２        通信部
１５３        記憶部
１５４        バッテリー
１５５        コネクタ
１５７        規制部
１６０        データサーバ
１７０        ネットワーク
１８０Ａ      変換コネクタ
１８０Ｂ      変換コネクタ
２００        画像表示端末
２００Ａ      親ノード
２００Ａ’    親ノード
２００Ａ”    親ノード
２００Ｂ      子ノード
２００Ｂ’    子ノード
２００Ｂ”    子ノード
２００Ｃ      画像表示端末
２００Ｄ      画像表示端末
２１０        画面
ＢＭ          枠
ＣＡ          カメラ
Ｆ            指
Ｍ            マルチ画像
ＭＳ          マルチ画像
Ｐ１          画像
Ｐ２          画像
Ｐ３          画像
Ｐ４          画像
Ｐ５          画像
Ｐ６          画像
Ｐ７          画像
Ｐ８          画像
Ｐ１０        画像
Ｓ１          画像領域
Ｓ２          画像領域
Ｓ３          画像領域
Ｓ４          画像領域
Ｓ５          画像領域
Ｓ６          画像領域
Ｓ７          画像領域
Ｓ８          画像領域
ＳＳ１        画像領域
ＳＳ２        画像領域
ＳＳ３        画像領域
ＳＳ４        画像領域
ＳＳ５        画像領域
ＳＳ６        画像領域
ＳＳ７        画像領域
ＳＳ８        画像領域
ＳＳ９        画像領域
【図１】
2018107729.tif 000003
【図２】
2018107729.tif 000004
【図３】
2018107729.tif 000005
【図４】
2018107729.tif 000006
【図５】
2018107729.tif 000007
【図６】
2018107729.tif 000008
【図７】
2018107729.tif 000009
【図８】
2018107729.tif 000010
【図９】
2018107729.tif 000011
【図１０】
2018107729.tif 000012
【図１１】
2018107729.tif 000013
【図１２】
2018107729.tif 000014
【図１３】
2018107729.tif 000015
【図１４】
2018107729.tif 000016
【図１５】
2018107729.tif 000017